(57)【要約】【課題】  反射型の電子表示媒体に表示された画像の視認性について、広い範囲の照明環境における視認性を客観的に評価することのできる電子表示媒体評価システムの提供。【解決手段】  電子表示媒体評価システムは、反射型の電子表示媒体上に表示された画像について、照明手段によって照明した状態において分光測色手段によって分光分布を測色し、これに基づいて画像の反射率および／または濃度を演算し、演算値によって電子表示媒体に表示された画像の視認性を評価するシステムであって、分光測色手段において分光分布を測色するための電子表示媒体からの反射光と、電子表示媒体とのなす角度θ１を設定することができると共に、電子表示媒体上の画像における照度を調整することができることを特徴とする。【選択図】  図１
2010261847.tif 000002
【特許請求の範囲】
【請求項１】
反射型の電子表示媒体上に表示された画像について、照明手段によって照明した状態において分光測色手段によって分光分布を測色し、得られた分光分布に基づいてデータ変換手段によって前記画像の反射率および／または濃度を演算し、演算により得られた反射率および／または濃度によって前記電子表示媒体に表示された画像の視認性を評価する電子表示媒体評価システムであって、
前記分光測色手段において分光分布を測色するための電子表示媒体からの反射光と、当該電子表示媒体とのなす角度θ１を、反射角度可変機構によって設定することができると共に、
前記照明手段には、照度調整機構が設けられて前記電子表示媒体上の画像における照度を調整することができることを特徴とする電子表示媒体評価システム。
【請求項２】
前記反射角度可変機構によって設定することができる角度θ１が、１５度〜９０度の範囲であることを特徴とする請求項１に記載の電子表示媒体評価システム。
【請求項３】
前記照明手段が、少なくとも色温度の異なる３種以上の光源を具備するものであって、
この３種以上の光源から１つを選択する光源選択機構が備えられ、
前記照明手段に具備される光源が、色温度が１９００Ｋ〜８０００Ｋの範囲のものであることを特徴とする請求項１または請求項２に記載の電子表示媒体評価システム。
【請求項４】
前記分光測色手段の前記電子表示媒体からの距離ｄを、測色距離設定機構によって設定することができることを特徴とする請求項１〜請求項３のいずれかに記載の電子表示媒体評価システム。
【請求項５】
前記測色距離設定機構によって設定することができる距離ｄが、３０ｍｍ〜５００ｍｍの範囲であることを特徴とする請求項４に記載の電子表示媒体評価システム。
【請求項６】
前記照明手段からの放射光と前記電子表示媒体とのなす角度θ２が、入射角度可変機構によって設定することができることを特徴とする請求項１〜請求項５のいずれかに記載の電子表示媒体評価システム。
【請求項７】
前記入射角度可変機構によって設定することができる角度θ２が、１５度〜９０度の範囲であることを特徴とする請求項６に記載の電子表示媒体評価システム。
【請求項８】
前記照度調整機構によって調整することができる前記電子表示媒体上の画像における照度が、１０ルクス〜２０００ルクスの範囲であることを特徴とする請求項１〜請求項７のいずれかに記載の電子表示媒体評価システム。
【請求項９】
前記照度調整機構が、前記分光測色手段によって測色されるべき分光分布の波長範囲の全域において照度を調整することができるＮＤフィルタよりなることを特徴とする請求項１〜請求項８のいずれかに記載の電子表示媒体評価システム。
【請求項１０】
照明手段からの放射光が、光散乱機構によって散乱されて前記電子表示媒体に散乱光とされた状態で照射されることを特徴とする請求項１〜請求項９のいずれかに記載の電子表示媒体評価システム。
【請求項１１】
前記電子表示媒体が、白色表示を行うことができる電子ペーパーであることを特徴とする請求項１〜請求項１０のいずれかに記載の電子表示媒体評価システム。
【発明の詳細な説明】
【技術分野】
【０００１】
本発明は、反射型の電子表示媒体に表示された画像の視認性を評価する電子表示媒体評価システムに関する。
【背景技術】
【０００２】
近年、地球温暖化に伴い、低消費電力の表示デバイスが求められている。その中で、発光部材を用いないメモリ性のある反射型の電子表示媒体である電子ペーパーは、電子書籍端末や携帯電話の表示パネル、電子棚札などいろいろな場所で使用され始めてきている。
【０００３】
このような反射型の電子表示媒体は、持ち運びに便利であり、保存性が良好であるなどのハードコピーの特長を持ちながら、ソフトコピーの特長、すなわち同一の表示画面において繰り返し書き換えが可能であり、デジタル情報との統合性を有し、さらに画像保持のための電力を要さないために省エネルギー化が図られるという特長を併せ持ち、理想的な媒体とも言える。
また、このような反射型の電子表示媒体は、紙などに印刷されたハードコピーと同様に、ユーザーが好む場所で自由な姿勢で見ることができ、加えて、発光型の電子表示媒体とは異なり長時間見続けたとしても視覚的な疲労が少なく、ユーザーにとって精神的および肉体的に優しい表示媒体である。
【０００４】
一方、家庭やオフィスにおいて、電子表示媒体を見る機会が非常に増えており、その中での表示が可能である液晶ディスプレイ（ＬＣＤ）がＶＤＴ（Ｖｉｓｕａｌ  Ｄｉｓｐｌａｙ  Ｔｅｒｍｉｎａｌ）作業の視覚インターフェースとして多用されるようになってきたことから、ＬＣＤに対する人間工学的な評価が進められている。
例えば、反射型のＬＣＤについて、実際のオフィス環境を想定した照明条件下における当該反射型のＬＣＤ上の文字の視認性や文章の可読性に関する主観的な許容限界を、反射率や明度指数とコントラストとの関係から明らかにする研究がなされている（例えば、非特許文献１および２参照。）。
【０００５】
しかしながら、このような研究による評価は、メモリ性のない反射型のＬＣＤについてその使用環境をオフィス環境に限定してなされたものであり、当該反射型のＬＣＤについて実用に即した評価とは言えない。
【０００６】
また、人の肌に付ける化粧品や車の外装など、様々な角度からどのように見えるのかを客観的に評価するために、測定角度が可変である分光測色計や反射率測定システムが提案されている（例えば、特許文献１および２参照。）。
さらに、反射型の電子表示媒体に対しても、観察角度の変化に伴う見え方の違いについての検討がなされ、反射率で表現されたコントラストについて好ましい値が提案されている（例えば、特許文献３参照。）。
【０００７】
上記のような提案においては、いずれの場合も当該反射型の電子表示媒体が限定された特定の環境において使用される場合の評価のみが得られる。
然るに、反射型の電子表示媒体は周囲の外光からの光の反射率の変化を視覚的に認識することによって情報を読み取るものであり、さらに、上述したようにユーザーが好む場所で自由な姿勢で見ることができるものであるために、限定された照明環境において使用される場合の評価のみでは、当該反射型の電子表示媒体についての十分な評価とはいえない。
加えて、近年電子書籍端末やオフィスビュワーなどで利用され始めている白色表示可能な反射型の電子表示媒体（電子ペーパー）に対して、使用環境を想定した評価になっているとはいえない。
【先行技術文献】
【特許文献】
【０００８】
【特許文献１】特許３０９５５２５号公報
【特許文献２】特開２００７−２９１０６６号公報
【特許文献３】特開２００５−１１４８２１号公報
【非特許文献】
【０００９】
【非特許文献１】テレビジョン学会誌、５０（８）１０９１−１０９５（１９９６）
【非特許文献２】テレビジョン学会誌、５０（８）１１７２−１１７６（１９９６）
【発明の概要】
【発明が解決しようとする課題】
【００１０】
本発明は、以上のような事情に基づいてなされたものであって、その目的は、反射型の電子表示媒体に表示された画像の視認性について、広い範囲の照明環境における視認性を客観的に評価することのできる電子表示媒体評価システムを提供することにある。
【課題を解決するための手段】
【００１１】
本発明の電子表示媒体評価システムは、反射型の電子表示媒体上に表示された画像について、照明手段によって照明した状態において分光測色手段によって分光分布を測色し、得られた分光分布に基づいてデータ変換手段によって前記画像の反射率および／または濃度を演算し、演算により得られた反射率および／または濃度によって前記電子表示媒体に表示された画像の視認性を評価する電子表示媒体評価システムであって、
前記分光測色手段において分光分布を測色するための電子表示媒体からの反射光と、当該電子表示媒体とのなす角度θ１が、反射角度可変機構によって設定することができると共に、
前記照明手段には、照度調整機構が設けられて前記電子表示媒体上の画像における照度を調整することができることを特徴とする。
【００１２】
本発明の電子表示媒体評価システムにおいては、前記反射角度可変機構によって設定することができる角度θ１が、１５度〜９０度の範囲であることが好ましい。
【００１３】
また、本発明の電子表示媒体評価システムにおいては、前記照明手段が、少なくとも色温度の異なる３種以上の光源を具備するものであって、
この３種以上の光源から１つを選択する光源選択機構が備えられ、
前記照明手段に具備される光源が、色温度が１９００Ｋ〜８０００Ｋの範囲のものであることが好ましい。
【００１４】
また、本発明の電子表示媒体評価システムにおいては、前記分光測色手段の前記電子表示媒体からの距離ｄを、測色距離設定機構によって設定することができる構成とすることができる。
【００１５】
また、本発明の電子表示媒体評価システムにおいては、前記測色距離設定機構によって設定することができる距離ｄが、３０ｍｍ〜５００ｍｍの範囲であることが好ましい。
【００１６】
また、本発明の電子表示媒体評価システムにおいては、前記照明手段からの放射光と前記電子表示媒体とのなす角度θ２が、入射角度可変機構によって設定することができる構成とすることができる。
【００１７】
また、本発明の電子表示媒体評価システムにおいては、前記入射角度可変機構によって設定することができる角度θ２が、１５度〜９０度の範囲であることが好ましい。
【００１８】
また、本発明の電子表示媒体評価システムにおいては、前記照度調整機構によって調整することができる前記電子表示媒体上の画像における照度が、１０ルクス〜２０００ルクスの範囲であることが好ましい。
【００１９】
また、本発明の電子表示媒体評価システムにおいては、前記照度調整機構が、前記分光測色手段によって測色されるべき分光分布の波長範囲の全域において照度を調整することができるＮＤフィルタよりなることが好ましい。
【００２０】
また、本発明の電子表示媒体評価システムにおいては、照明手段からの放射光が、光散乱機構によって散乱されて前記電子表示媒体に散乱光とされた状態で照射される構成とすることができる。
【００２１】
さらに、本発明の電子表示媒体評価システムにおいては、前記電子表示媒体が、白色表示を行うことができる電子ペーパーとすることができる。
【発明の効果】
【００２２】
本発明の電子表示媒体評価システムによれば、照度調整機構によって電子表示媒体上の画像における照度を調整することができるために、広い範囲の照明環境で電子表示媒体の視認性を評価することができ、従って、実用に即した視認性を客観的に評価することができる。
【図面の簡単な説明】
【００２３】
【図１】本発明の電子表示媒体評価システムに用いる分光測色計の構成例を示す模式図である。
【図２】反射型の電子表示媒体における測色領域を示す模式図である。
【図３】（ａ）は本発明の電子表示媒体評価システムに用いる分光測色計の照度調整機構が光透過率変更フィルタ群よりなる構成例を示す模式図であり、（ｂ）は光透過率変更フィルタ群の平面図である。
【図４】本発明の電子表示媒体評価システムに用いる分光測色計について、分光測色手段が、分光測色器が複数設けられてなる構成例を示す模式図である。
【図５】本発明の電子表示媒体評価システムの一例における視認性の評価のフローチャートである。
【図６】本発明の電子表示媒体評価システムに用いる分光測色計に光源選択機構が設けられた構成例を示す模式図である。
【図７】本発明の電子表示媒体評価システムの光源選択機構を使用する例に係る視認性の評価のフローチャートである。
【図８】本発明の電子表示媒体評価システムに用いる分光測色計に測色距離設定機構が設けられた構成例を示す模式図である。
【図９】本発明の電子表示媒体評価システムに用いる分光測色計の分光測色手段にシャッターが設けられた構成例を示す模式図である。
【図１０】本発明の電子表示媒体評価システムの測色距離設定機構を使用する例に係る視認性の評価のフローチャートである。
【図１１】本発明の電子表示媒体評価システムに用いる分光測色計について、照明手段が、照明器が複数設けられてなる構成例を示す模式図である。
【図１２】本発明の電子表示媒体評価システムの入射角度可変機構を使用する例に係る視認性の評価のフローチャートである。
【図１３】本発明の電子表示媒体評価システムに用いる分光測色計に拡散板が設けられた構成例を示す模式図である。
【図１４】本発明の電子表示媒体評価システムの光散乱機構に係る例における視認性の評価のフローチャートである。
【図１５】本発明の電子表示媒体評価システムに用いる分光測色計の別の構成例を示す模式図である。
【発明を実施するための形態】
【００２４】
以下、本発明について詳細に説明する。
【００２５】
本発明の電子表示媒体評価システムは、反射型の電子表示媒体（以下、「反射型電子表示媒体」ともいう。）に表示された画像の視認性を評価するものであって、具体的には、例えば図１に示されるような分光測色計を用いて、反射型電子表示媒体１０上に表示された画像（図示せず）について、照明手段１２によって照明した状態において分光測色手段１３によって分光分布を測色し、得られた分光分布に基づいてデータ変換手段２０（図５参照）によって前記画像の反射率および／または濃度を演算し、演算により得られた反射率および／または濃度によって反射型電子表示媒体１０に表示された画像の視認性を評価するものである。
そして、この電子表示媒体評価システムに用いる分光測色計においては、分光測色手段１３において分光分布を測色するための反射型電子表示媒体１０からの反射光３１と、当該反射型電子表示媒体１０とのなす角度（以下、「反射角」ともいう。）θ１が、反射角度可変機構１５（図５参照）によって設定することができると共に、照明手段１２には、照度調整機構１９が設けられて反射型電子表示媒体１０上の画像における照度を調整することができる構成とされている。
なお、ここでいう画像とは、イラストや写真などの画像の他に、文字や図記号などのキャラクタを含めたものである。
【００２６】
分光測色手段１３によって分光分布を測色する画像としては、反射型電子表示媒体１０上に表示された画像の全領域であってもよく、また、反射型電子表示媒体１０上に表示された画像の一部の領域であってもよい。
具体的には、図２に示されるように、反射型電子表示媒体１０上の領域中、分光測色手段１３に備えられた光検出センサ２３によって反射光が受光される範囲に対応する測色領域３０に表示された画像が測色されるので、測色領域３０と同じ形状の画像を表示してこれを測色することにより、反射型電子表示媒体１０上に表示された画像の全領域が測色され、一方、測色領域３０よりも大きな画像を表示してこれの一部を測色することにより、反射型電子表示媒体１０上に表示された画像の一部が測色される。
【００２７】
反射型電子表示媒体１０上に表示される画像は、その反射型電子表示媒体１０を駆動するための駆動素子の解像度により異なるが、解像度として７２〜５００ｄｐｉの範囲のものであれば好適に評価することができる。
【００２８】
以下に、分光測色計の具体的な構成を説明する。
この分光測色計は、分光分布を測色すべき反射型電子表示媒体１０に対接させるための開口１１Ａが形成された積分球１１を有し、この積分球１１の球面上に、孔が設けられてこの孔に照明手段１２が備えられると共に、当該積分球１１の球面上の照明手段１２と反射型電子表示媒体１０について正反射の位置ではない位置に孔が設けられて、当該孔に分光測色手段１３が備えられており、この分光測色手段１３にデータ変換手段２０が接続されてなる。
【００２９】
積分球１１は、照明手段１２から出射される光をその内壁で繰り返し拡散反射させることにより空間的に積分させ、これにより散乱光を生成するものである。
積分球１１の大きさは、特に限定されないが、当該積分球１１の開口１１Ａに入射される光が散乱光となる程度の、開口１１Ａの大きさに対して十分に大きな大きさであることが好ましい。
【００３０】
この積分球１１は、極めて反射率の高い材料よりなるものとすることができ、また、適宜の材料によって形状が形成されたものの内壁に、反射率の高いコーティング材によってコーティングされたものとすることもできる。
【００３１】
そして、本発明の電子表示媒体評価システムにおいては、照明手段１２が、適宜の光源を備えると共に照度調整機構１９を備えるものとされている。
光源としては、例えば従来公知の種々の光源、例えばロウソク、白熱ランプ（タングステンランプ）、ハロゲンランプ、メタルハライドランプ、蛍光ランプ、ナトリウムランプ、キセノンランプ、蛍光灯、ＬＥＤなどを用いることができる。
さらに、必要に応じて光源の色温度を調整するために、波長カットフィルタを併用してもよい。
照度調整機構１９は、当該光源からの光について、反射型電子表示媒体１０上の画像に照射される光が所定の照度の光となるようにその照度を調製するものであって、例えば分光測色手段１３によって測色されるべき分光分布の波長範囲の全域において照度を調整することができるＮＤ（Ｎｅｕｔｒａｌ  Ｄｅｎｓｉｔｙ：減光）フィルタよりなるものとすることができる。
具体的な照度の調整は、互いに減光の度合の異なる複数のＮＤフィルタを取り換え可能な状態に設け、さらに測色領域３０に対向して設けられた照度測定装置（図示せず）によって適時に照度を測定し、測定される照度が所望の照度になるまで照度調整機構１９によってＮＤフィルタを取り換えることにより、行うことができる。
【００３２】
また、照度調整機構１９としては、図３に示されるように、光透過率を変更することのできる光透過率変更フィルタ群２２よりなるものとすることもできる。
この光透過率変更フィルタ群２２は、図３（ｂ）に示されるように、軸２２αを中心として同心円上に複数の光学フィルタ２２Ａ〜２２Ｅが設けられてなるものであり、これらの光学フィルタ２２Ａ〜２２Ｅのうちの一つが選択されて光源からの光が透過されるよう、軸２２αを中心に回転可能に設置される。
また、この光透過率変更フィルタ群２２の代わりに、光透過率を電気的に制御することのできる電磁フィルタを用いてもよい。
なお、図３において、４０は傾斜板である。傾斜板４０は、光源からの直接光および／または光源からの反射型電子表示媒体１０を介した直接光による反射光が光検出センサ２３に入り込まないようにするためのものである。
【００３３】
照度調整機構１９によって調整することができる反射型電子表示媒体１０上の画像における照度は、人が見る環境を考慮して、１０ルクス〜２０００ルクスの範囲とされることが好ましい。
反射型電子表示媒体１０上の画像における照度が上記の範囲にあることにより、広い範囲の照明環境で反射型電子表示媒体１０の視認性を評価することができる。
【００３４】
分光測色手段１３は、反射型電子表示媒体１０に対向する状態に光検出センサ２３を有するものであり、このような光検出センサ２３としては、例えばフォトダイオード、ＣＣＤやＣＭＯＳなどの公知の種々のマルチセル検出器を用いることができる。
【００３５】
この分光測色手段１３の光検出センサ２３において分光分布を測色するための反射型電子表示媒体１０からの反射光３１と、当該反射型電子表示媒体１０の表面とのなす角度反射角θ１は、反射角度可変機構１５によって設定することができる。
具体的には、図４に示されるように、分光測色計を、積分球１１の球面上の照明手段１２と反射型電子表示媒体１０について正反射の位置ではなく、かつ、互いに反射角θ１が異なる複数の位置に、それぞれ分光測色器１３Ａ〜１３Ｅが備えられ、これらの分光測色器１３Ａ〜１３Ｅにより分光測色手段１３が形成された構成とし、反射角度可変機構１５によっていずれかの分光測色器１３Ａ〜１３Ｅを選択することによって、反射角θ１を設定することができる。この複数の分光測色器１３Ａ〜１３Ｅは、すべて、反射型電子表示媒体１０に対向する状態に光検出センサ２３を備えると共に、データ変換手段２０に接続されてなるものとされている。
また、分光測色計を、図４の形態とは異なり、１つの分光測色器を反射角θ１が特定の複数の値（例えば、図４の各分光測色器１３Ａ〜１３Ｅに対応する各反射角θ１の値）、または任意の値となる位置に可動可能に備えるものとして、この可動可能な分光測色器によって反射角度可変機構１５を構成してもよく、このような構成の分光測色計においては、光検出センサ２３を複数備える必要がなく、１つの光検出センサ２３によって対応することができる。
【００３６】
この反射角度可変機構１５によって設定することができる反射角θ１は、１５度〜９０度の範囲であることが好ましい。
【００３７】
このような分光測色計を用いて、以下のように反射型電子表示媒体１０上の画像の視認性が数値に換算される。
すなわち、図５のフローチャートに示されるように、まず、照度調整機構１９によって反射型電子表示媒体１０上の画像上の照度を調整した状態において、照明手段１２から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、反射角度可変機構１５によって分光測色器１３Ａ〜１３Ｅから選択、またはこれらに対応する位置に移動された分光測色手段１３における光検出センサ２３に入射された光について、分光分布が測色され、この測色された分光分布のデータがデータ変換手段２０に送信され、当該データ変換手段２０において反射率および／または濃度に演算される。
【００３８】
得られた反射率および／または濃度を用いた反射型電子表示媒体１０の視認性の評価の具体的な方法は、特に限定されず、評価対象となる反射型電子表示媒体１０の使用用途などを考慮した方法とすることができる。
例えば、反射型電子表示媒体１０を携行して家庭およびオフィスの両方で使用する場合、家庭およびオフィスに対応する複数種類の照度環境に係る反射率および／または濃度を取得し、これらの相関関係から評価する方法などを挙げることができる。
【００３９】
以上のような電子表示媒体評価システムにおいて、評価対象となる反射型電子表示媒体１０としては、例えば白色表示を行うことができる電子ペーパーなどを挙げることができる。
【００４０】
以上の電子表示媒体評価システムによれば、照度調整機構１９によって反射型電子表示媒体１０上の画像における照度を調整することができるために、広い範囲の照明環境で当該反射型電子表示媒体１０の視認性を評価することができ、従って、実用に即した視認性を客観的に評価することができる。
【００４１】
以上、本発明について具体的に説明したが、本実施の形態は上記の例に限定されるものではなく、種々の変更を加えることができる。
【００４２】
＜変形例１＞
例えば、本発明の電子表示媒体評価システムに用いる分光測色計としては、照明手段１２が少なくとも色温度の異なる３種以上の光源を具備し、光源選択機構１８によって３種以上の光源から１つが選択される構成を有するものであってもよい。
照明手段１２に具備される光源は、すべて、色温度が１９００Ｋ〜８０００Ｋの範囲のものである。なお、色温度が１９００Ｋである光源は具体的には例えばロウソクや電球、白熱ランプであって、通常の照明環境のうち黄色からオレンジ色の、人が精神的に安らげる照明環境を提供することができる。
【００４３】
光源選択機構１８は、例えば３種の光源を備える場合は、具体的には、図６に示されるように、光源１８Ａ〜１８Ｃを、光学ミラーが組み込まれた光学切替手段１８Ｄにより互いに切り替える構成を有するものとすることができる。
【００４４】
光源の組み合わせとしては、例えば３種の光源を備える場合は、具体的には、第１の光源を、ロウソクやタングステンランプなどの光源を想定した１９００Ｋ〜４０００Ｋの範囲の色温度のものとし、第２の光源を、家庭やオフィスで使用される昼白色の蛍光灯を想定した４０００Ｋ〜５５００Ｋの範囲の色温度のものとすると共に、第３の光源を、オフィスなどの会議室などで使用される昼光色や看板用の蛍光灯を想定した５５００Ｋ〜８０００Ｋの範囲の色温度のものとすることが好ましい。
【００４５】
このような分光測色計においては、以下のように反射型電子表示媒体１０上の画像の視認性が数値に換算される。
すなわち、図７のフローチャートに示されるように、まず、照明手段１２において、光源選択機構１８によって光源が選択され、この光源から、照度調整機構１９によって反射型電子表示媒体１０上の画像上の照度を調整した状態において、光を出射させる。この光は、直接光として、および／または、積分球１１の内壁に反射して拡散されることにより散乱光として、反射型電子表示媒体１０の測色領域３０に入射される。この反射型電子表示媒体１０の測色領域３０に入射された光は、当該反射型電子表示媒体１０によって反射され、反射角度可変機構１５によって分光測色器１３Ａ〜１３Ｅから選択、またはこれらに対応する位置に移動された分光測色手段１３における光検出センサ２３に入射された光について、分光分布が測色され、この測色された分光分布のデータがデータ変換手段２０に送信され、当該データ変換手段２０において反射率および／または濃度に演算される。
【００４６】
＜変形例２＞
また例えば、本発明の電子表示媒体評価システムに用いる分光測色計は、図８に示されるように、実際に反射型電子表示媒体が使用される照明環境を考慮して、分光測色手段１３の反射型電子表示媒体１０からの距離ｄを、測色距離設定機構１７によって設定することのできる構成を有するものであってもよい。
具体的には、分光測色手段１３における光検出センサ２３の位置を、反射型電子表示媒体１０からの反射光３１の進む方向に沿って移動させることができる構成とすることができる。
測色距離設定機構１７は、例えば、図９に示されるように、光検出センサ２３が円盤状のものである場合はその下端の円周部から分光測色手段１３が設置される積分球１１の球面上の孔の周囲部に伸びる状態に、伸縮可能な蛇腹構造の円錐台体２３Ａが備えられてなるものとすることができる。
【００４７】
この測色距離設定機構１７によって設定することができる距離ｄは、例えば３０ｍｍ〜５００ｍｍの範囲とすることができる。
【００４８】
この例の分光測色手段１３には、光検出センサ２３への光の回り込みを回避するためのシャッター機構が備えられていてもよい。
シャッター機構は、例えば測色距離設定機構１７の円錐台体２３Ａにより構成されるものとすることができる。
【００４９】
このような分光測色計においては、以下のように反射型電子表示媒体１０上の画像の視認性が数値に換算される。
すなわち、図１０のフローチャートに示されるように、まず、照度調整機構１９によって反射型電子表示媒体１０上の画像上の照度を調整した状態において、照明手段１２から光を出射させる。この光は、直接光として、および／または、積分球１１の内壁に反射して拡散されることにより散乱光として、反射型電子表示媒体１０の測色領域３０に入射される。この反射型電子表示媒体１０の測色領域３０に入射された光は、当該反射型電子表示媒体１０によって反射され、反射角度可変機構１５によって分光測色器１３Ａ〜１３Ｅから選択、またはこれらに対応する位置に移動され、さらに測色距離設定機構１７によって光検出センサ２３の距離ｄが設定された分光測色手段１３の当該光検出センサ２３に入射された光について、分光分布が測色され、この測色された分光分布のデータがデータ変換手段２０に送信され、当該データ変換手段２０において反射率および／または濃度に演算される。
【００５０】
＜変形例３＞
また例えば、本発明の電子表示媒体評価システムに用いる分光測色計は、照明手段１２から放射されて反射型電子表示媒体１０に入射される入射光３２と反射型電子表示媒体１０とのなす角度（以下、「入射角」ともいう。）θ２（図１参照）を、入射角度可変機構１６によって設定することのできる構成を有するものであってもよい。
具体的には、図１１に示されるように、照明手段１２を、積分球１１の球面上の分光測色手段１３と反射型電子表示媒体１０について正反射の位置ではなく、かつ、互いに入射角θ２が異なる複数の位置に、それぞれ複数の照明器１２Ａ〜１２Ｃが備えられてなる構成とし、入射角度可変機構１６によっていずれかの照明器１２Ａ〜１２Ｃを選択することによって、入射角θ２を設定することができる。この複数の照明器１２Ａ〜１２Ｃは、すべて、同じ性能を有するものとされる。
また、分光測色計を、図１１の形態とは異なり、１つの照明器を入射角θ２が特定の複数の値（例えば、図１１の各照明器１２Ａ〜１２Ｃに対応する各入射角θ２の値）、または任意の値となる位置に可動可能に備えるものとして、この可動可能な照明器によって入射角度可変機構１６を構成してもよく、このような構成の分光測色計においては、照明器を複数備える必要がなく、１つの照明器によって対応することができる。
【００５１】
この入射角度可変機構１６によって設定することができる入射角θ２は、１５度〜９０度の範囲であることが好ましい。
【００５２】
このような分光測色計においては、以下のように反射型電子表示媒体１０上の画像の視認性が数値に換算される。
すなわち、図１２のフローチャートに示されるように、まず、入射角度可変機構１６によって照明器１２Ａ〜１２Ｃから照明手段１２を選択、またはこれらに対応する位置に照明器を移動し、照度調整機構１９によって反射型電子表示媒体１０上の画像上の照度を調整した状態において、当該照明手段１２から光を出射させる。この光は、直接光として、および／または、積分球１１の内壁に反射して拡散されることにより散乱光として、反射型電子表示媒体１０の測色領域３０に入射される。この反射型電子表示媒体１０の測色領域３０に入射された光は、当該反射型電子表示媒体１０によって反射され、反射角度可変機構１５によって分光測色器１３Ａ〜１３Ｅから選択、またはこれらに対応する位置に移動された分光測色手段１３における光検出センサ２３に入射された光について、分光分布が測色され、この測色された分光分布のデータがデータ変換手段２０に送信され、当該データ変換手段２０において反射率および／または濃度に演算される。
【００５３】
＜変形例４＞
さらに例えば、本発明の電子表示媒体評価システムに用いる分光測色計は、図１３に示されるように、照明手段１２からの放射光が、光散乱機構１４によって散乱されて反射型電子表示媒体１０に照射される構成を有するものであってもよい。
具体的には、光散乱機構１４は、積分球１１の内部における、照明手段１２と反射型電子表示媒体１０との間であって、分光測色手段１３に入射されるべき反射型電子表示媒体１０からの反射光３１の光路が塞がれない位置に、内壁に固定される状態に設けられた拡散板からなるものとすることができる。
【００５４】
このような分光測色計においては、以下のように反射型電子表示媒体１０上の画像の視認性が数値に換算される。
すなわち、図１４のフローチャートに示されるように、まず、照度調整機構１９によって反射型電子表示媒体１０上の画像上の照度を調整した状態において、照明手段１２から光を出射させる。この光は、光散乱機構１４を構成する拡散板を通過することによって散乱光とされ、この状態において反射型電子表示媒体１０の測色領域３０に入射される。この反射型電子表示媒体１０の測色領域３０に入射された光は、当該反射型電子表示媒体１０によって反射され、反射角度可変機構１５によって分光測色器１３Ａ〜１３Ｅから選択、またはこれらに対応する位置に移動された分光測色手段１３における光検出センサ２３に入射された光について、分光分布が測色され、この測色された分光分布のデータがデータ変換手段２０に送信され、当該データ変換手段２０において反射率および／または濃度に演算される。
【００５５】
＜変形例５＞
さらに例えば、本発明の電子表示媒体評価システムに用いる分光測色計としては積分球を利用したものに限定されず、以下のような分光測色計を用いることもできる。
すなわち、図１５に示されるように、光源５８Ａ、当該光源５８Ａからの光を通してその照度を調整する照度調整機構５９、および必要に応じて１つ以上の反射鏡５２ａ，５２ｂ、を有する照明手段５２と、光源５８からの光を拡散させる拡散板６０と、照明手段５２と反射型電子表示媒体１０について正反射の位置ではない位置に光検出センサ（図示せず）を有する分光測色手段５３と、反射角θ１を設定する反射角度可変機構５５とが備えられおり、この分光測色手段５３にデータ変換手段（図示せず）が接続されてなる分光測色計である。
【００５６】
特に、光源５８ＡとしてＬＥＤなどの指向性を有する光源を用いる場合に、このような構成の分光測色計とすることが好ましい。
このような分光測色計における光源５８Ａとしては、ＬＥＤに限定されず、上述の積分球を用いた分光測色計の光源として挙げたものも、適時選択して用いることができる。
【００５７】
照度調整機構５９としては、上述の積分球を用いた分光測色計における照度調整機構１９と同様に、ＮＤフィルタ、光学フィルタ、電磁フィルタなどを用いたものとすることができる。
【００５８】
この例の分光測色計においては、反射角度可変機構５５は、任意の反射角θ１を形成するように移動可能な分光測色手段５３よりなる。
分光測色手段５３の光検出センサとしては、上述の積分球を用いた分光測色計の光検出センサとして挙げたものを挙げることができる。
【００５９】
この例の分光測色計において光源選択機構を設ける場合は、当該光源選択機構は、備えられた複数の光源を互いに切り替えるよう反射鏡５２ａ，５２ｂの角度などを変更する機構よりなるものとすることができる。
また、測色距離設定機構５７を設ける場合は、当該測色距離設定機構５７は、分光測色手段５３を反射型電子表示媒体１０からの反射光の進む方向に沿って移動させることができる適宜の機構よりなるものとすることができる。
さらに、入射角度可変機構５６を設ける場合は、当該入射角度可変機構５６は、反射型電子表示媒体１０の載置角度を変更する適宜の機構よりなるものとすることができる。
【００６０】
このような分光測色計を用いて、以下のように反射型電子表示媒体１０上の画像の視認性が数値に換算される。
すなわち、まず、照度調整機構５９によって反射型電子表示媒体１０上の画像上の照度を調整した状態において、照明手段５２から光を出射させる。この光は、反射鏡５２ａ，５２ｂを介して拡散板６０を通過して散乱され、散乱光として反射型電子表示媒体１０の測色領域に入射される。この反射型電子表示媒体１０の測色領域に入射された光は、当該反射型電子表示媒体１０によって反射され、反射角度可変機構５５によって任意の反射角θ１に係る位置に移動された分光測色手段５３における光検出センサに入射された光について、分光分布が測色され、この測色された分光分布のデータがデータ変換手段に送信され、当該データ変換手段において反射率および／または濃度に演算される。
【符号の説明】
【００６１】
１０  反射型電子表示媒体
１１  積分球
１１Ａ  開口
１２  照明手段
１２Ａ〜１２Ｃ  照明器
１３  分光測色手段
１３Ａ〜１３Ｅ  分光測色器
１４  光散乱機構
１５  反射角度可変機構
１６  入射角度可変機構
１７  測色距離設定機構
１８  光源選択機構
１８Ａ〜１８Ｃ  光源
１８Ｄ  光学切替手段
１９  照度調整機構
２０  データ変換手段
２２  光透過率変更フィルタ群
２２Ａ〜２２Ｅ  光学フィルタ
２２α  軸
２３  光検出センサ
２３Ａ  円錐台体
３０  測色領域
３１  反射光
３２  入射光
４０  傾斜板
５２  照明手段
５２ａ，５２ｂ  反射鏡
５３  分光測色手段
５５  反射角度可変機構
５６  入射角度可変機構
５７  測色距離設定機構
５８Ａ  光源
５９  照度調整機構
６０  拡散板
【図５】
2010261847.tif 000003
【図７】
2010261847.tif 000004
【図１０】
2010261847.tif 000005
【図１２】
2010261847.tif 000006
【図１４】
2010261847.tif 000007
【図１】
2010261847.tif 000008
【図２】
2010261847.tif 000009
【図３】
2010261847.tif 000010
【図４】
2010261847.tif 000011
【図６】
2010261847.tif 000012
【図８】
2010261847.tif 000013
【図９】
2010261847.tif 000014
【図１１】
2010261847.tif 000015
【図１３】
2010261847.tif 000016
【図１５】
2010261847.tif 000017